(57)【要約】【課題】  衣類の劣化を抑制することができるとともに、天日干しと同様の香りを衣類に付与することが可能な洗濯乾燥機を提供することである。【解決手段】  洗濯乾燥機１００は水槽２と回転ドラム３と照射光源２１と制御手段とを備える。回転ドラム３は水槽２内で回転可能に支持されている。照射光源２１は紫外線を含む光線を回転ドラム３内に照射するためのものである。制御手段は乾燥工程終了時以降に紫外線を含む光線を回転ドラム３内に照射するように照射光源２１を制御する。【選択図】        図１
2005168687.tif 000002
【特許請求の範囲】
【請求項１】
水槽と、
水槽内で回転可能に支持された回転ドラムと、
紫外線を含む光線を前記回転ドラム内に照射するための照射手段と、
乾燥工程終了時以降に紫外線を含む光線を前記回転ドラム内に照射するように前記照射手段を制御する制御手段と、
を備えた、洗濯乾燥機。
【請求項２】
前記制御手段は、紫外線を含む光線を前記回転ドラム内に照射する照射工程のみを行なうことができるように前記照射手段を制御することを含む、請求項１に記載の洗濯乾燥機。
【請求項３】
前記制御手段は、前記回転ドラム内の温度が３０℃以上６０℃以下であるときに紫外線を含む光線を前記回転ドラム内に照射する照射工程を行なうように前記照射手段を制御することを含む、請求項１または請求項２に記載の洗濯乾燥機。
【請求項４】
前記制御手段は、紫外線を含む光線を前記回転ドラム内に照射する照射工程を行なうときに、前記回転ドラムの開口部に対して開閉可能に設けられたドアがロック状態になるように制御することを含む、請求項１から請求項３までのいずれか１項に記載の洗濯乾燥機。
【請求項５】
構成部品が紫外線を吸収する材料を含み、紫外線を遮蔽するように構成されている、請求項１から請求項４までのいずれか１項に記載の洗濯乾燥機。
【請求項６】
前記回転ドラムの開口部に対して開閉可能に設けられたドアに前記照射手段が設けられている、請求項１から請求項５までのいずれか１項に記載の洗濯乾燥機。
【請求項７】
前記回転ドラムの外周壁面に向かって紫外線を含む光線を放射するように前記水槽に前記照射手段が設けられ、前記回転ドラムの外周壁面には前記回転ドラム内に貫通する複数の孔が形成されている、請求項１から請求項５までのいずれか１項に記載の洗濯乾燥機。
【発明の詳細な説明】
【技術分野】
【０００１】
この発明は、一般的には洗濯乾燥機に関し、特定的には回転ドラム内で衣類の洗濯から乾燥までを行なう洗濯乾燥機に関するものであり、より特定的には洗濯乾燥機において乾燥された衣類に芳香を付与するための装置の改善に関するものである。
【背景技術】
【０００２】
従来から、たとえば、特開平２−５７３００号公報（特許文献１）に開示されているように、衣類に紫外線を照射する装置を備えた衣類乾燥機が提案されている。この衣類乾燥機は、衣類を転動する回転ドラムと、このドラム内に熱風を循環する循環経路と、このドラム内に紫外線を照射する照射手段とを備え、照射手段が衣類乾燥工程の減率乾燥工程およびそれ以降の工程の少なくとも一方で照射するように構成したものである。この衣類乾燥機では、照射手段からの紫外線照射を衣類乾燥工程の中で、衣類がほぼ乾いた状態にある減率乾燥工程を主として行うため、紫外線の水分による失活が少なくなり照射手段からの紫外線照射による殺菌が効果的に行われることになるとされている。
【０００３】
しかしながら、この衣類乾燥機では、衣類に付着している雑菌の殺菌を行なうために紫外線を衣類に照射するので、高温時に長時間紫外線を照射する必要がある。このため、殺菌効果としては減率乾燥工程以前より乾燥工程終了時まで紫外線を衣類に照射する方法が最も高いが、衣類への悪影響、効果の効率化という点で必ずしも好ましいとはいえないと上記公報に記載されている。
【０００４】
また、たとえば、特開２００２−２７５７５６号公報（特許文献２）に開示されているように、繊維製品に日向臭である芳香を付与するために、繊維製品に紫外線を照射する紫外線照射手段を組み込んだ乾燥洗濯機が提案されている。この乾燥洗濯機では、繊維製品に日向臭である芳香を付与するために、回転槽の洗濯物または乾燥する繊維製品に紫外線を照射し、所望により水切り機能を設け、また所望により適宜熱風を与えることによって、洗濯・乾燥を行なうことができると上記公報に記載されている。
【０００５】
しかしながら、繊維製品は、多少の水分が含まれている方が乾燥終了時の芳香は強くなるとされており、その効果を示すために長時間にわたって紫外線を照射しながら濡れた布を乾燥した実験結果が記載されている。長時間にわたって紫外線を照射すると、衣類が劣化することはもちろんのこと、芳香においても弊害が生じる恐れがある。
【特許文献１】特開平２−５７３００号公報
【特許文献２】特開２００２−２７５７５６号公報
【発明の開示】
【発明が解決しようとする課題】
【０００６】
そこで、この発明の目的は、衣類の劣化を抑制することができるとともに、天日干しと同様の香りを衣類に付与することが可能な洗濯乾燥機を提供することである。
【課題を解決するための手段】
【０００７】
この発明に従った洗濯乾燥機は、水槽と回転ドラムと照射手段と制御手段とを備える。回転ドラムは水槽内で回転可能に支持されている。照射手段は紫外線を含む光線を回転ドラム内に照射するためのものである。制御手段は、乾燥工程終了時以降に紫外線を含む光線を回転ドラム内に照射するように照射手段を制御する。
【０００８】
この発明の洗濯乾燥機においては、乾燥工程終了時以降に紫外線を含む光線を回転ドラム内に照射するので、衣類を劣化させることなく、回転ドラム内で乾燥された洗濯対象物に天日干しと同様の香りを付与するのに最適な温度の状態で紫外線を照射することができる。このため、洗濯乾燥機から衣類を取り出したときにまさに天日干しの香りを体験することができる。
【０００９】
この発明の洗濯乾燥機においては、制御手段は、紫外線を含む光線を回転ドラム内に照射する照射工程のみを行なうことができるように照射手段を制御することを含むのが好ましい。この場合、乾燥された衣類、または、通常洗濯しないものであっても、回転ドラム内に収容して天日干しと同様の香りを付与することができる。
【００１０】
また、この発明の洗濯乾燥機においては、制御手段は、回転ドラム内の温度が３０℃以上６０℃以下であるときに紫外線を含む光線を回転ドラム内に照射する照射工程を行なうように照射手段を制御することを含むのが好ましい。天日干しに近似した香りと心地よさを実現するためには、照射工程においてほのかに温かい程度の温度制御が重要である。温度が低すぎると、照射された衣類から香りはかすかに感じられても、それに伴う温かい心地よさを感じることができない。また、温度が高すぎても、揮発する香り成分が飛んでしまい、洗濯乾燥機から衣類を取り出したときに香りを感じることができない。したがって、回転ドラム内の温度を３０℃以上６０℃以下に制御して回転ドラム内の衣類に紫外線を含む光線を照射することにより、天日干しに近似した香りと温かい心地よさを実現することができる。
【００１１】
さらに、この発明の洗濯乾燥機においては、制御手段は、紫外線を含む光線を回転ドラム内に照射する照射工程を行なうときに、回転ドラムの開口部に対して開閉可能に設けられたドアがロック状態になるように制御することを含むのが好ましい。この場合、使用者、洗濯乾燥機の近くにいる人または近くにある物に紫外線が照射されるのを防止することができる。
【００１２】
この発明の洗濯乾燥機においては、構成部品が紫外線を吸収する材料を含み、紫外線を遮蔽するように構成されているのが好ましい。この場合、構成部品が紫外線によって劣化するのを防止することができ、洗濯乾燥機本体から外部に紫外線が漏れないようにされているので、使用者等、洗濯乾燥機の周りにいる人または置いてある物への悪影響を防止することができる。
【００１３】
なお、この発明の洗濯乾燥機においては、回転ドラムの開口部に対して開閉可能に設けられたドアに照射手段が設けられているのが好ましい。この場合、ドアを閉じたときに照射手段の照射方向が回転ドラム内に向くように照射手段を配置することができるので、ドアのロック状態等と併せて制御することにより、使用者、洗濯乾燥機の近くにいる人または近くにある物に紫外線が照射されるのを効果的に防止することができる。
【００１４】
この発明の洗濯乾燥機においては、回転ドラムの外周壁面に向かって紫外線を含む光線を放射するように水槽に照射手段が設けられ、回転ドラムの外周壁面には回転ドラム内に貫通する複数の孔が形成されているのが好ましい。これにより、照射手段として可視光から赤外光までの幅広い波長範囲を含む光源を用いる場合に、その光源から放射される熱線によって回転ドラムの外周壁面が加熱されるとしても、衣類が熱線によって局部的に直接加熱されることはなく、回転ドラム内に貫通する複数の孔から漏れた光が直接、衣類に照射されることによって、回転ドラム内で乾燥された洗濯対象物に天日干しと同様の香りを付与することができる。
【発明の効果】
【００１５】
以上のようにこの発明によれば、衣類の劣化を抑制することができるとともに、天日干しと同様の香りを衣類に付与することができるので、洗濯乾燥機から衣類を取り出したときにまさに天日干しの香りを体験することができる。
【発明を実施するための最良の形態】
【００１６】
以下、この発明の一つの実施の形態を図に基づいて説明する。
【００１７】
図１は、この発明の一つの実施の形態として洗濯乾燥機の概略的な構成を示す側断面図である。図１に示すように、洗濯乾燥機１００は、本体１と、本体１の内部に取り付けられた水槽２と、水槽２の内部で回転可能に支持された回転ドラム３とを備える。
【００１８】
回転ドラム３の底には、モータ４で回転ドラム３を正逆に回転させる回転機構部が取り付けられている。回転ドラム３内の衣類を攪拌するためにバッフル５が回転ドラム３の内周壁面に取り付けられている。また、回転ドラム３の外周壁面には、回転ドラム３内の水が通過し、衣類６から脱水することができるように回転ドラム３の内部に貫通する多数の小孔３２が形成されている。衣類６を出し入れすることができ、かつ、気密性と水密性を保つためにドアユニット７が回転ドラム３の開口部に対して開閉可能に取り付けられている。ドアユニット７は、外部から衣類６の状態を視認することができるように設けられたドアガラス７１と、紫外線吸収剤が入ったマイクロカプセルをバインダーで全面接着された前面ドア７２、または、紫外線吸収剤を素材に練り込んで成形された前面ドア７２とから構成される。
【００１９】
乾燥装置は、循環ファン９と空気加熱ヒータ１０とを備える。空気加熱ヒータ１０は空気を加熱する。循環ファン９は、空気加熱ヒータ１０によって加熱された空気が衣類からの水分を蒸発させ、除湿するための経路として水槽２の内部、回転ドラム３の内部および冷却器８を連通して空気を循環させる。
【００２０】
光照射ユニット２０は、紫外線を含む光線を照射するための照射手段である照射光源２１を備えており、ドアユニット７に設置され、回転ドラム３内の衣類６に、矢印Ｐで示す方向に光を直接、照射することができるように構成されている。光照射ユニット２０には、照射光源２１から放射された光を回転ドラム３の開口部から底壁面に向かう方向へ反射させるために反射板２２が設けられている。また、光照射ユニット２０には、照射光源２１を洗濯用水と脱水される水とから保護するために光透過性が高い耐熱ガラス板２３が設けられている。光照射ユニット２０は、反射板２２が背面になるようにドアユニット７またはドアガラス７１に固着され、耐熱ガラス板２３がドアユニット７またはドアガラス７１に密着固定されるようにして、取り付けられている。具体的には、耐熱性（熱絶縁性）と防水性を備えたシール材または接着剤等を用いてドアユニット７またはドアガラス７１と耐熱ガラス板２３とをシールした状態で、光放射ユニット２０がドアユニット７に固定されている。
【００２１】
洗濯乾燥機１００は、上述のように構成された照射手段である照射光源２１を制御するための制御手段として制御装置（図示せず）を備えている。制御装置は、乾燥工程終了時以降に紫外線を含む光線を回転ドラム３内に照射するように照射光源２１を制御する。また、好ましくは、制御装置は、紫外線を含む光線を回転ドラム３内に照射する照射工程のみを行なうことができるように照射光源２１を制御する。さらに、好ましくは、制御装置は、回転ドラム３内の温度が３０℃以上６０℃以下であるときに紫外線を含む光線を回転ドラム３内に照射する照射工程を行なうように照射光源２１を制御する。より好ましくは、制御装置は、紫外線を含む光線を回転ドラム３内に照射する照射工程を行なうときに、回転ドラム３の開口部に対して開閉可能に設けられたドアユニット７がロック状態になるように制御する。
【００２２】
次に、以上のようにして構成された本発明の洗濯乾燥機の動作について説明する。
【００２３】
図示しない制御手段の信号により、モータ４が正逆に回転し、モータ４に直接に接続された回転ドラム３も同様に正逆に回転する。この回転により、回転ドラム３内の内周壁面に固定して設けられたバッフル５が衣類６を持ち上げ、下方に落下させる動作を繰り返すことにより、洗い工程は行なわれる。このようにして、洗い工程が、いわゆる叩き洗い効果を利用して行なわれる。
【００２４】
洗い工程が終了すると、排水ポンプ１１を駆動させて水槽２内の水は排水ホース１２から排出される。その後、すすぎ工程、脱水工程へ移行して洗濯工程が終了する。
【００２５】
次に、乾燥工程の動作について説明する。
【００２６】
洗濯工程を終了後、乾燥工程に移行し、乾燥運転を開始すると、回転ドラム３の正逆の回転により、衣類６の上下運動による攪拌作用が起きるとともに、循環ファン９と空気加熱ヒータ１０に電力が供給され、空気温度が上昇する。この加熱空気によって加熱された衣類から水分が蒸発して冷却器８内へ流入する。冷却器８内には、対向配置された上方の冷却水入口管１３から冷却水が供給されているので、蒸発した水分が冷却されて凝縮する。この凝縮水は、排水ポンプ１１側へ流れて冷却水と混合して排水される。除湿された空気は再び空気加熱ヒータ１０に還流して加熱される。加熱空気は回転ドラム３内に流入して衣類６を加熱して、衣類６に含まれている水分を蒸発させる。この繰り返しによって衣類６の乾燥が進行する。この乾燥工程で用いられる衣類の加熱源は空気加熱ヒータ１０である。一般的に空気加熱ヒータ１０は、空気循環ダクト内に設けられ、抵抗発熱線を金属被覆して形成されたシーズヒータが用いられる。
【００２７】
このようにして衣類６の乾燥が終了した後、すなわち、予熱乾燥工程、恒率乾燥工程、減率乾燥工程、乾燥終了時（空気加熱ヒータ１０をオフにしたとき）を経てクールダウン工程まで行なった後、制御装置により、回転ドラム３の開口部に対してドアユニット７がロック状態にあることが検知され、回転ドラム３内の温度が３０℃以上６０℃以下に制御された状態で、照射光源２１から矢印Ｐで示す方向に紫外線を含む光線が回転ドラム３内で乾燥された衣類６に照射される。照射時間は、回転ドラム３内の温度に応じて５分間から２時間間までの範囲内で調整すればよく、温度が低いほど長く、温度が高いほど短くするのが好ましく、４０℃以上６０℃以下の温度の場合には５分間〜１時間程度が好ましい。
【００２８】
このようにして、乾燥工程終了時以降に紫外線を含む光線を回転ドラム３内に照射するので、衣類６を劣化させることなく、回転ドラム３内で乾燥された洗濯対象物に天日干しと同様の香りを付与するのに最適な温度の状態で紫外線を照射することができる。このため、洗濯乾燥機１００から衣類６を取り出したときにまさに天日干しの香りを体験することができる。
【００２９】
また、天日干しに近似した香りと心地よさを実現するためには、上記の照射工程においてほのかに温かい程度の温度制御が重要である。温度が低すぎると、照射された衣類から香りはかすかに感じられても、それに伴う温かい心地よさを感じることができない。また、温度が高すぎても、揮発する香り成分が飛んでしまい、洗濯乾燥機から衣類を取り出したときに香りを感じることができない。したがって、上述したように回転ドラム３内の温度を３０℃以上６０℃以下に制御して回転ドラム３内の衣類６に紫外線を含む光線を照射することにより、天日干しに近似した香りと温かい心地よさを実現することができる。
【００３０】
洗濯乾燥機においてドアユニットは、従来から、水槽内の水位が一定値を超えていた場合の水漏れ防止、高速回転時における危険防止、乾燥工程時において回転ドラムの内部が一定温度を超えた場合のやけど防止等を目的としてドアロックが働くようになっている。本発明の洗濯乾燥機１００においては、紫外線を含む光線を回転ドラム３内に照射する照射工程を行なうときに、回転ドラム３の開口部に対して開閉可能に設けられたドアユニット７がロック状態になるように制御装置が制御する。これにより、使用者、洗濯乾燥機の近くにいる人または物に紫外線が照射されるのを防止することができる。このようにして照射工程時もドアロックを行い、使用者が紫外線の影響を受けないようにする。ただし、
使用者が一時停止させることにより、照射光源２１の光を消灯し、空気加熱ヒータ１０をオフにする制御を働かせるために、一時停止時のドアロックは解除可能である。その場合、上記の光源と熱源の停止を検知した後、制御装置がドアユニット７のロックを解除するという制御を行なう。
【００３１】
なお、水槽２等、紫外線を遮蔽するために洗濯乾燥機１００の構成部品に適用する構成技術としては、前面ドア７２と同様にして、構成部品に紫外線吸収剤入りのマイクロカプセルをバインダーで全面接着するか、紫外線吸収剤を素材に練り込んで構成部品を成形する方法を採用する。これにより、水槽２等の構成部品が紫外線によって劣化するのを防止することができ、洗濯乾燥機１００本体から外部に紫外線が漏れないようにされているので、使用者等、洗濯乾燥機の周りにいる人または置いてある物への悪影響を防止することができる。
【００３２】
上記の実施の形態の洗濯乾燥機１００では、回転ドラム３の開口部に対して開閉可能に設けられたドアユニット７に照射光源２１が設けられている。これにより、ドアユニット７を閉じたときに照射光源２１の照射方向が回転ドラム３内に向くように照射光源２１を配置することができるので、制御装置がドアユニット７のロック状態等を検知することと併せて制御することにより、使用者、洗濯乾燥機の近くにいる人または近くにある物に紫外線が照射されるのを効果的に防止することができる。
【００３３】
しかし、照射光源２１を含む光照射ユニット２０の取り付け位置はドアユニット７に限定されるものではない。回転ドラム３の開口部から底壁面に向かって衣類６に光線を照射するものではなく、外周壁面に向かって光線を照射するように光照射ユニットを設けてもよい。
【００３４】
図３は、この発明のもう一つの実施の形態として洗濯乾燥機の概略的な構成を示す側断面図である。
【００３５】
照射光源２１が可視光から赤外光までの波長範囲を含む光線を照射する場合には、照射光源２１は熱線も放射するので、図１に示された洗濯乾燥機１００においては光照射ユニット２０に近い位置にある衣類６が局部的に熱せられることがある。この不具合を解消するために、図３に示すように、洗濯乾燥機２００の主な構成は図１に示したものと同様であるが、光照射ユニット２０が水槽２に取り付けられている。光照射ユニット２０は、紫外線を含む光線を照射するための照射手段である照射光源２１を備えており、水槽２に設置され、回転ドラム３の外周壁面と衣類６とに、矢印Ｐで示す方向に光を直接、照射することができるように構成されている。回転ドラム３の外周壁面には、照射光源２１から放射される光が通過し、衣類６を照射することができるように回転ドラム３の内部に貫通する多数の小孔３２が形成されている。光照射ユニット２０には、照射光源２１から放射された光を回転ドラム３の外周壁面に向かう方向へ反射させるために反射板２２が設けられている。また、光照射ユニット２０には、照射光源２１を洗濯用水と脱水される水とから保護するために光透過性が高い耐熱ガラス板２３が設けられている。光照射ユニット２０は、反射板２２が背面になるように水槽２の外周壁面に固着され、耐熱ガラス板２３が水槽２の外周壁面に密着固定されるようにして、取り付けられている。具体的には、耐熱性（熱絶縁性）と防水性を備えたシール材または接着剤等を用いて水槽２と耐熱ガラス板２３をシールした状態で、光照射ユニット２０が水槽２の外周壁面にビス等で固定されている。
【００３６】
上記のように構成された光照射ユニット２０を点灯することにより、回転ドラム３の外周壁面が加熱されるとともに回転ドラム３の外周壁面から内部に貫通するように開口した多数の小孔３２から漏れた光が直接、衣類６に照射される。これにより、回転ドラム３内で乾燥された衣類６に天日干しと同様の香りを付与することができる。
【００３７】
なお、上記の洗濯乾燥機１００または２００において、制御装置が、紫外線を含む光線を回転ドラム３内に照射する照射工程のみを行なうことができるように照射光源２１を制御するように構成されていてもよい。これにより、すでに乾燥された衣類、または、通常洗濯しない衣類等であっても、回転ドラム３内に収容して天日干しと同様の香りを付与することができる。
【００３８】
図４は、光照射ユニット２０の構成例を示す概略的な側断面図（Ａ）と正面図（Ｂ）である。正面図（Ｂ）では、耐熱ガラス板２３を取り外した状態を示す。
【００３９】
図４に示すように、照射光源２１の裏面には光反射効率の高い反射板２２が設けられ、光照射面には光透過率の高い耐熱ガラス板２３が設けられている。耐熱ガラス板２３で照射光源２１を覆うとともに、光照射ユニット２０の筐体は金属製の防水ケースからなる。防水ケースはステンレス鋼、亜鉛めっき鋼板等の一般的な金属板で形成すればよい。このようにして、光照射ユニット２０は洗い、すすぎ、脱水工程で飛散する水を遮蔽することができる防水性のユニット仕様になっている。図４に示す構成例では、照射光源２１はリング状の形態を有するが、取り付け面積を低減するために直線状の管のものを用いてもよい。光の吸収がほとんどないため、反射板２２の材質はアルミニウムを採用するのが最も好ましく、金属光沢のあるステンレス鋼等を用いてもよい。耐熱ガラス板２３の材質は、耐熱性と熱衝撃性の高い材料であればよく、たとえば結晶性ガラスを採用するのが好ましい。
【実施例】
【００４０】
本発明の一つの実施の形態として図１に示された洗濯乾燥機１００を用いて乾燥運転を行なった一つの実験結果として測定された温度データを図２に示す。実線は回転ドラム３からの排気温度を、点線は回転ドラム３からの排気温度と冷却水温との差を示している。乾燥工程は通常、予熱乾燥工程ａと恒率乾燥工程ｂと減率乾燥工程ｃとに分けられ、終了検知で判断した乾燥終了時点ｄから、空気加熱ヒータ１０をオフにして使用者が安全に衣類６を取り出すことができるようにクールダウンｅを行なう。クールダウン終了時でも、回転ドラム３からの排気温度はまだ６０℃以上である場合も少なくない。したがって、天日干しに近似した香りと温かい心地よさを実現するためには、乾燥工程中やクールダウン時に照射光源２１から光線を衣類６に向けて照射するのは好ましくない。
【００４１】
これを証明するために、殺菌ランプからの光線を木綿タオルに照射した場合の温度と時間による芳香の官能試験結果を表１に示す。
【００４２】
【表１】
2005168687.tif 000003
この殺菌ランプから出射される光線は２６０ｎｍ付近の波長にピーク強度を有し、実験の都合上、出力が１５Ｗのものを使用した。しかし、実際の洗濯乾燥機に搭載するランプとしては、３００ｎｍ以上の波長にピーク強度を有する光線を出射するブラックライトや捕虫器用ランプでもよく、また出力が４Ｗ程度の小型のものでもよい。
【００４３】
表１に示される官能試験結果において、＋は外に干した香り、＋＋＋は天日干しに近い心地よい香り、△はやや辛みのある香りを示している。この結果より、温度が３０℃では外に干した香りはするが、何か足りない感じがする。また、温度が６０℃では、短時間で香りを達成するが、香ばしいような辛い香りが生じるまでの時間も短い。したがって、照射する温度条件は３０℃から６０℃までの範囲が好ましいといえる。ブラックライトや捕虫器用ランプを用いても同様のことがいえるが、殺菌ランプに比べて、天日干しに近い心地よい香りに到達するまでの時間が長く(３０分〜１時間)、やや辛みのある香りに到達するまでの時間も長い(２時間〜３時間)。
【００４４】
以上の実験結果に基づいて、乾燥工程中とクールダウン中では、表１に示すように天日干しに近い心地よい香りを得るための最適温度帯(３０〜６０℃)の状態に回転ドラム３内を保つことができないため、本発明では、クールダウン後に回転ドラム３内を最適温度帯(３０〜６０℃)に保って、光を照射する照射工程を設ける方式をとり、乾燥工程終了時以降のわずかな時間に紫外線を含む光線を照射することにより、取り出すときの衣類に天日干しの心地よさを実現することを可能にした。
【００４５】
以上に開示された実施の形態と実施例はすべての点で例示であって制限的なものではないと考慮されるべきである。本発明の範囲は、以上の実施の形態と実施例ではなく、特許請求の範囲によって示され、特許請求の範囲と均等の意味および範囲内でのすべての修正や変形を含むものである。
【図面の簡単な説明】
【００４６】
【図１】この発明の一つの実施の形態として洗濯乾燥機の概略的な構成を示す側断面図である。
【図２】この発明の一つの実施の形態として図１に示された洗濯乾燥機を用いて乾燥運転を行なった一つの実験結果として測定された温度データを示す図である。
【図３】この発明のもう一つの実施の形態として洗濯乾燥機の概略的な構成を示す側断面図である。
【図４】光照射ユニットの構成例を示す概略的な側断面図（Ａ）と正面図（Ｂ）である。
【符号の説明】
【００４７】
１：本体、２:水槽、３:回転ドラム、６：衣類、２０:光照射ユニット、２１:照射光源、２２:反射板、２３:耐熱ガラス板、３２:小孔、７：ドアユニット、１００，２００:洗濯乾燥機。
【図１】
2005168687.tif 000004
【図２】
2005168687.tif 000005
【図３】
2005168687.tif 000006
【図４】
2005168687.tif 000007